(57)【要約】能力特性の評価に関するシステムおよび手法を提供する。1つまたは複数のフィットネス機器、例えばボールおよび/またはマットは、試験練習といった活動プロトコルの最中にユーザの動作を測定するためのセンサを有してよい。動作基準を該フィットネス機器が満たすかどうか検出するように構成されたセンサを開示する。一態様では、フィットネス機器はボールを備えてよく、かつ、動作基準はボールの重量、寸法、および/または内圧に関し得る。一態様では、フィットネス機器由来のデータは、スコアを算出するために使用され得る。別の態様では、スコアは算出され得るが、該スコアは、動作基準が満たされない場合、資格証明書と関連付けられなくてもよいか、または認定されなくてもよい。2014534887.tif 000003
2014534887.tif 000002
【特許請求の範囲】
【請求項１】
フィットネスパラメータを測定するように構成された、第1のセンサと、
ボールの第1の動作基準を測定するように構成された、第2のセンサと、
該第1のセンサおよび該第2のセンサによって測定された第1の該パラメータおよび該第1の動作基準に関するデータを無線送信するように構成された、トランシーバと
を備える、該ボール。
【請求項２】
プロセッサと、
コンピュータ実行可能命令が、該プロセッサによって実行される場合に
前記第1の動作基準が満たされていないと判定すること、および
システムの機能を使用不可にすること
を実施する、該コンピュータ実行可能命令を含むコンピュータ可読媒体と
を備える該システムと通信するように構成されている、請求項1記載のボール。
【請求項３】
前記機能がスコアの算出を含む、請求項2記載のボール。
【請求項４】
前記機能が認定スコアの算出を含む、請求項3記載のボール。
【請求項５】
プロセッサと、
コンピュータ実行可能命令が、該プロセッサによって実行される場合に
前記第1のセンサによって測定された前記フィットネスパラメータに少なくとも部分的に基づいて、第1の活動プロトコルをユーザが実施している間の複数の能力特性を算出すること
を実施する、該コンピュータ実行可能命令を含むコンピュータ可読媒体と
をさらに備える、請求項1記載のボール。
【請求項６】
前記能力特性が、パワー、敏捷さ、速さ、反応、敏速さ、およびこれらの組み合わせからなる群より選択される、請求項5記載のボール。
【請求項７】
前記第1の動作基準が、重量、寸法、内圧、およびこれらの組み合わせに関する範囲を指定する、請求項2記載のボール。
【請求項８】
前記複数の能力特性のうちの少なくとも1つに関する算出が、フィットネスパラメータを測定するように構成されたフィットネス機器と関連付けられた第3のセンサ由来のデータの使用を含む、請求項5記載のボール。
【請求項９】
前記第1のセンサによって測定された前記フィットネスパラメータが、進んだ距離、飛んでいる間の速度、衝撃時のパワー、およびこれらの組み合わせからなる群より選択され、かつ、前記能力特性が、パワー、敏捷さ、速さ、反応、敏速さ、これらの組み合わせからなる群より選択される、請求項8記載のボール。
【請求項１０】
前記命令が、
算出された前記能力特性に基づいてスコアを求めること
をさらに含む、請求項9記載のボール。
【請求項１１】
以下の段階を含む、ユーザの能力特性を評価する方法:
第1のパラメータを測定するように構成されたセンサと既定の動作基準をボールが満たすかどうか検出するように構成されたセンサとを備える該ボールを検出する段階;ならびに
複数の活動プロトコルの中から第1の活動プロトコルを選択する段階であって、該選択が、検出されたフィットネス機器、検出されたフィットネス機器のセンサ、検出されたフィットネス機器によって測定されたパラメータ、およびこれらの組み合わせからなる群より選択される1つまたは複数の要因に少なくとも部分的に基づく、段階。
【請求項１２】
前記第1のパラメータを測定するように構成された前記センサが、前記既定の動作基準を前記ボールが満たすかどうか検出するように構成された前記センサを備える、請求項11記載の方法。
【請求項１３】
前記第1の活動プロトコルをユーザが実施している間に前記ボールの1つまたは複数のセンサから収集されたデータから、複数の能力特性を算出する段階
をさらに含む、請求項12記載の方法。
【請求項１４】
前記能力特性が、パワー、敏捷さ、速さ、反応、敏速さ、これらの組み合わせからなる群より選択される、請求項13記載の方法。
【請求項１５】
第2のフィットネス機器のセンサからデータを受け取る段階;ならびに
2つのユーザ動作の間のタイミング、特定のユーザ動作のタイミング、ユーザの所在、フィットネス機器の所在、ユーザの速度、フィットネス機器の速度、ユーザの加速度、フィットネス機器の加速度、センサの検出、フィットネス機器の検出、およびこれらの組み合わせからなる群より選択される動作の妥当性を確認するために、前記ボールの前記センサから収集されたデータと該第2のフィットネス機器から収集されたデータとを相互参照する段階
をさらに含む、請求項13記載の方法。
【請求項１６】
少なくとも1つの検出されたフィットネス機器がボールを備え、かつ、前記既定の動作基準が、重量、寸法、内圧、およびこれらの組み合わせに関する範囲を指定する、請求項11記載の方法。
【請求項１７】
前記ボールのセンサを使用して、既定の動作基準を装置が満たすかどうか判定する段階
をさらに含む、請求項11記載の方法。
【請求項１８】
以下の段階を含む、ユーザの能力特性を評価する方法:
システム内において複数のフィットネス機器を検出する段階であって、該複数のフィットネス機器が、少なくとも
第1のパラメータを測定するように構成された少なくとも1つのセンサを備える、第1のフィットネス機器と、
第2のパラメータを測定するように構成された少なくとも1つのセンサを備える、第2のフィットネス機器と
を備える、段階;
検出された該フィットネス機器のうちの少なくとも1つのセンサを用いて、既定の動作基準を少なくとも1つの検出されたフィットネス機器が満たすかどうか判定する段階;ならびに
複数の活動プロトコルの中から第1の活動プロトコルを選択する段階であって、該選択が、検出されたフィットネス機器、検出されたフィットネス機器のセンサ、検出されたフィットネス機器によって測定されたパラメータ、およびこれらの組み合わせからなる群より選択される1つまたは複数の要因に少なくとも部分的に基づく、段階。
【請求項１９】
前記第1の活動プロトコルをユーザが実施している間に第1のフィットネス機器および第2のフィットネス機器から収集されたデータから、複数の能力特性を算出する段階
をさらに含む、請求項18記載の方法。
【請求項２０】
前記能力特性が、パワー、敏捷さ、速さ、反応、敏速さ、これらの組み合わせからなる群より選択される、請求項19記載の方法。
【請求項２１】
2つのユーザ動作の間のタイミング、特定のユーザ動作のタイミング、ユーザの所在、フィットネス機器の所在、ユーザの速度、フィットネス機器の速度、ユーザの加速度、フィットネス機器の加速度、センサの検出、フィットネス機器の検出、およびこれらの組み合わせからなる群より選択される動作の妥当性を確認するために、前記第1のフィットネス機器のセンサから収集されたデータと前記第2のフィットネス機器のセンサから収集されたデータとを相互参照する段階
をさらに含む、請求項19記載の方法。
【請求項２２】
算出された前記能力特性の少なくとも一部分から、スコアを算出する段階
をさらに含む、請求項21記載の方法。
【請求項２３】
少なくとも1つの検出されたフィットネス機器がボールを備え、かつ、前記既定の動作基準が、重量、寸法、内圧、およびこれらの組み合わせに関する範囲を指定する、請求項18記載の方法。
【請求項２４】
検出されたフィットネス機器のセンサを使用して、既定の動作基準を、検出された該フィットネス機器のうちの1つではない装置が満たすかどうか判定する段階
をさらに含む、請求項18記載の方法。
【請求項２５】
検出されたフィットネス機器がマットを備え、かつ、前記装置が履物を備える、請求項24記載の方法。
【請求項２６】
前記マットのセンサを用いて、前記履物からの圧力を検出する段階;および
許可されていない圧力点を該履物が含むかどうか判定する段階
をさらに含む、請求項25記載の方法。
【請求項２７】
検出された前記フィットネス機器がマットと履物とを備え、該マットが、該履物からの圧力を検出するように構成された1つまたは複数のセンサを備え、前記方法が、
該マットのセンサを用いて、該履物からの圧力を検出する段階;および
許可されていない圧力点を該履物が含むかどうか判定する段階
をさらに含む、請求項18記載の方法。
【請求項２８】
少なくとも1つの動作基準が満たされていないと判定する段階;および
前記システムの機能を使用不可にする段階
をさらに含む、請求項18記載の方法。
【請求項２９】
前記機能がスコアの算出を含む、請求項28記載の方法。
【請求項３０】
前記機能が認定スコアの算出を含む、請求項29記載の方法。
【請求項３１】
少なくとも1つの特定の種類のフィットネス機器が検出されていないと判定し、前記システムの少なくとも機能を使用不可にする段階
をさらに含む、請求項18記載の方法。
【請求項３２】
前記機能がスコアの算出を含む、請求項31記載の方法。
【請求項３３】
前記機能が認定スコアの算出を含む、請求項32記載の方法。
【請求項３４】
検出されたフィットネス機器の少なくとも1つまたは前記装置がカメラを備え、かつ、前記方法が、
該カメラを用いて画像を取り込む段階;および
運動の複数の3次元画像を生成する段階
をさらに含む、請求項24記載の方法。
【請求項３５】
検出されたフィットネス機器の第1のセンサが第2のセンサに交換されていることを検出する段階;および
複数の前記活動プロトコルの中から第2の活動プロトコルを選択する段階
をさらに含む、請求項18記載の方法。
【請求項３６】
前記第2のセンサが前記第1のセンサと異なる種類のセンサであると判定する段階
をさらに含む、請求項35記載の方法。
【請求項３７】
第1のフィットネス機器の検出された特性に少なくとも部分的に基づいて、第2のフィットネス機器の特性を調整する段階
をさらに含む、請求項18記載の方法。
【発明の詳細な説明】
【背景技術】
【０００１】
発明の背景
プロの運動選手もアマチュアの運動選手も同様に、あるレベルの運動能力を得ようと努力する。しかし残念なことに、運動選手の選択するエクササイズルーチンは、各運動選手がその最大限の能力まで出し切ることを可能にしない場合もある。さらに、経験を積んだコーチまたはトレーナのいない個人がその最大限の能力に到達する可能性はさらに一層低い。よって、単に標準的なエクササイズルーチンに従うだけでは、個人が、重要であり得るある能力特性を改善する助けにならない。例えば、プロスポーツチームでフットボールをプレーしたいと思っている個人は、チームまたはリーグのメンバとなり得る人とみなされるのに十分な速さを持っているが、その個人のスポーツへの応答性またはフィットネスに関連した応答が許容できる範囲を下回る場合もある。不適切なエクササイズルーチンにやみくもに従っていると、自分の応答性を改善できない可能性がある。
【０００２】
さらに、コーチおよびスカウトは、比較的短期間で数人の個人の能力特性をすばやく判定する必要がある。コーチおよびスカウトは、可能性のある選手らの記録または統計を入手し得るが、特に、速さ、応答性、敏速さ、パワーといった関連する特性の正確な評価は提供されない可能性が最も高い。さらに、統計は、偽造されるかまたは不正確である可能性もある。能力特性を正確に測定しようと試みている場合でさえも、タイマ、装置、および他の変数の条件が未知である場合には、高いレベルの不確実性が存在し得る。さらに、各運動選手の能力が異なるタイマ、装置、および/または環境条件で測定された可能性もある。
【０００３】
あるシステムおよび方法は運動選手の認定された格付けを提供し得るが、現在のシステムおよび方法は高くつき、時間がかかる。例えば、現在のシステムおよび方法では、複数の試験プロトコルを管理するよう人を訓練する必要がある。さらに、訓練し、装置を較正し、様々な場所へ移動し、分析を行う費用および時間のかかるプロセスを考えると、このプロセスは多くの運動選手にとって費用と時間がかかりすぎて実施することができない。
【０００４】
さらに、アマチュアの運動選手は、そのような試験または分析を行わない場合もある。これは残念なことである。というのは、運動能力の向上は、非競技者についてでさえも、エクササイズの継続を奨励する傾向にあるからである。残念ながら、正しい分析および試験なしでは、個人は所望の運動特質を向上させない可能性がある。さらに、エクササイズから得られる身体的改善にのみ頼ると往々にして失敗する結果になる。というのは、多くの身体的改善は見えてくるのに数週間または数ヶ月かかり、そのため、エクササイズプログラムを維持するのに十分な動機付けを提供しないからである。例えば、どんな特質が改善しており、どんな特質が改善していないかに個人が身体的に気付くにはさらに長い期間を要し得る。しかも、個人の能力を測定するための正確なシステムおよび方法がなければ、個人は1つまたは複数の能力特性を誤って評価する可能性もある。したがって、これらおよびその他の理由で、改善されたシステムおよび方法が求められている。
【発明の概要】
【０００５】
簡単な概要
本発明および本発明の様々な特徴の基本的理解を提供するために、以下に、本発明の局面の一般的概要を提示する。この概要はいかなる点でも本発明の範囲を限定するためのものではなく、単に、以下のより詳細な説明に関する全般的概観および状況を提供するにすぎない。
【０００６】
本発明の局面は、ユーザの運動能力特性を評価するためのシステムおよび方法に関するものである。ある態様によれば、1つまたは複数のフィットネス機器が検出され得る。フィットネスパラメータを測定するように構成された任意の構成部分または構成部分の集合を、本明細書で開示する態様によるフィットネス機器とすることができる。例えばフィットネス機器は、ボール、パック、ディスクなどといった、特定の身体活動に必要な構成部分またはそうでなければ特定の身体活動と一般に関連付けられる構成部分を備えてよい。例えば一態様では、フィットネス機器は、メディシンボールといったボールを備え得る。さらに別の態様では、フィットネス機器は、ユーザがその上に位置し得るゴールマーカまたはマットといった、環境自体を含む、身体活動が行われる環境内の物体を備え得る。さらなる例示的態様を、以下で具体的態様を論じる場合により詳細に論じる。1つまたは複数のフィットネス機器がシステムにおいて一緒に用いられてよい。例えば、メディシンボールが第1のパラメータを測定するように構成されたセンサを備えてもよく、マットといった第2のフィットネス機器が第2のパラメータを測定するように構成された少なくとも1つのセンサを備えてもよい。
【０００７】
さらなる局面は、動作基準をフィットネス機器が満たすかどうか検出するように構成されたセンサに関するものである。一態様では、フィットネス機器は、ボールを備えてよく、動作基準はボールの重量、寸法、および/または内圧に関するものとし得る。ある態様では、ボール（または他のフィットネス機器）は、動作基準の一部分が満たされない場合には、フィットネスパラメータに関するデータを収集しなくてよい。別の態様では、フィットネス機器は1つまたは複数のセンサからデータを収集し得るが、データの使用が制限され得る。一態様では、関連したフィットネス機器由来のデータが、スコアの算出に使用されなくてよい。別の態様では、スコアが算出され得るが、ある動作基準が満たされない場合には、スコアは、資格証明書と関連付けられなくてよいか、または認定されなくてよい。
【０００８】
さらなる局面は、フィットネス機器を用いて活動プロトコルを行うためのシステムおよび方法に関するものである。活動プロトコルは、複数の活動プロトコルの中から選択され得る。一態様では、選択は、検出されたフィットネス機器またはフィットネス機器の集合、検出されたフィットネス機器のセンサ、検出されたフィットネス機器によって測定されたパラメータ、およびこれらの組み合わせに少なくとも部分的に基づき得る。
【０００９】
ユーザの活動プロトコルの実施に関する複数の能力特性が算出され得る。例えば一態様では、能力特性は、パワー、敏捷さ、速さ、反応、および/または敏速さからなる群より選択される。ある態様では、いくつかのフィットネス機器上のセンサから収集されたデータが、データの妥当性を確認するために相互参照され得る。例えば、2つのユーザ動作の間のタイミング、特定のユーザ動作のタイミング、ユーザの所在、フィットネス機器の所在、ユーザの速度、フィットネス機器の速度、ユーザの加速度、フィットネス機器の加速度、センサの検出、および/またはフィットネス機器の検出に関するデータが、各フィットネス機器の各センサから収集されるかまたはそうでなければ導出されたデータを比較することによって妥当性を確認され得る。ある態様では、検証されたデータからスコアが算出され得る。
【００１０】
さらなる局面は、フィットネス機器の標準化、および活動プロトコルの間のユーザの実施に関するものである。例えば一態様では、フィットネス機器がマットを備え、装置（フィットネス機器であってもまたはなくてもよい）が履物を備え得る。一態様では、マットは、履物からの圧力を検出し、履物が、スパイクといった許可されていない圧力点を含むかどうか判定するように構成された1つまたは複数のセンサを含み得る。ある態様では、そのようなシステムおよび方法は、不正行為を防止し、かつ/または複数のユーザが1つまたは複数の活動プロトコルの最中に一貫したやり方で同様のフィットネス機器を用いることを保証し得る。別の態様では、ある機能（例えば、特定のスコアの選択および/または算出に利用可能なプロトコルなど）は、ある機器が検出されていない場合には、使用不可にされてよいかまたはそうでなければ使用できなくてよい。例えば、認定スコアは、（例えばメディシンボールといった）ボールが検出されていない場合には、算出されなくてよい。別の態様では、認定スコアは、（例えばメディシンボール上の）特定のセンサが検出されていない場合には、収集されなくてよい。
【００１１】
様々な態様によれば、フィットネス機器は1つまたは複数の交換可能なセンサを有し得る。一態様では、メディシンボールは、3軸加速度計に交換され得る交換可能な2軸加速度計を有し得る。ある態様では、加速度計といったあるセンサの検出が、複数の活動プロトコルの中からの活動プロトコルの選択に用いられ得る。さらなる態様は、交換センサが元のセンサと異なる種類のセンサであることを検出し得る。さらなる態様は、別のフィットネス機器の検出された特性に基づいてフィットネス機器の特性を調整し得る。
【００１２】
さらなる局面は、フィットネスパラメータを測定するように構成された第1のセンサを有するボールフィットネス機器に関するものである。ボールはボールの第1の動作基準を測定するように構成された第2のセンサを有していてよい。ボールの無線トランシーバが第1のセンサおよび第2のセンサから収集されたデータを送信し得る。ボールは、コンピュータ実行可能命令を有するメモリを有するシステムと通信するように構成されていてよい。命令は、第1の動作基準が満たされていないかどうか判定し得る。ある態様では、ボールの機能を含むシステムの機能が使用不可にされるかまたはそうでなければ完全に機能しない場合がある。例えば一態様では、スコアを算出するためのデータの収集および/またはデータの使用が不可にされてよい。ある態様では、ボールのセンサ由来のデータが、例えば、パワー、敏捷さ、速さ、反応、敏速さ、およびこれらの組み合わせといった能力特性を算出するのに使用され得る。あるデータは、例えば、進んだ距離、飛んでいる間の速度、および/または衝撃時のパワーなどに関するものとすることができる。
【００１３】
ボールは、1つまたは複数の他のフィットネス機器と通信するように構成され得る。一態様では、少なくとも1つの能力特性に関する算出は、2つまたはそれ以上のフィットネス機器由来のデータの使用を含み得る。一態様では、能力特性が、ボールのセンサとマットのセンサとに由来するデータから算出される。
【００１４】
本発明のこれらおよびその他の特徴は、以下の詳細な説明から明らかになるであろう。
【図面の簡単な説明】
【００１５】
添付の図面を考慮して以下の詳細な説明を参照することにより、本明細書で開示する様々な局面およびそのいくつかの利点をより完全に理解することができる。添付の図面は必ずしも縮尺通りであるとは限らないことに留意されたい。
【図１】本発明の様々な例を実施するのに使用され得る例示的コンピュータ環境を示す図である。
【図２】本発明の様々な態様に従って実施され得る例示的方法を示す流れ図である。
【図３】本発明の様々な態様による1つまたは複数のフィットネス機器を有する例示的システムを示す図である。
【図４】本発明の様々な態様に従って実施され得る例示的方法を示す流れ図である。
【図５】本発明の様々な態様に従って実施され得る例示的方法を示す流れ図である。
【発明を実施するための形態】
【００１６】
詳細な説明
本発明による様々な例示的構造および方法の以下の説明では添付の図面を参照する。図面は本明細書の一部を形成し、各図面には例として、本発明の様々な態様による、様々なフィットネス機器およびフィットネス機器を使用したシステムが示されている。加えて、本発明の範囲を逸脱することなく、複数の部分および構造の他の具体的配置が用いられてもよく、構造的、機能的改変が加えられてもよいことも理解すべきである。
【００１７】
局面は、1つまたは複数のセンサを有するフィットネス機器に関するものである。本明細書で使用する場合、「フィットネス機器」という語は、例えばスポーツまたはトレーニング練習などの身体活動の間に使用され、関与し得る任意の物体を含む。ある態様では、1つまたは複数のフィットネス機器がユーザによって保持され得るか、取り付けられ得るか、または装着され得る。機器の例には、特に、シューズ、シャツ、ショーツ、グローブ、帽子といった衣服、または腕時計、電話機、メディアプレーヤといった電子機器が含まれ得る。一態様では、フィットネス機器は、ユーザのシューズに取り付け可能とすることができる。別の態様では、機器は、腕時計、リングを装着するのと同様にユーザの腕に取り付けられるものとすることもでき、移動端末機器および/またはパーソナルメディアプレーヤを含む任意のハンドヘルド電子機器といったように、手で掴めるものとすることもできる。
【００１８】
さらなるフィットネス機器の例には、身体活動に必要とされるかまたはそうでなければ身体活動と一般に関連付けられる構成部分が含まれ得る。フィットネス機器の例には、以下に限らないが、ゴルフボール、バスケットボール、ベースボール、サッカーボール、フットボール、ボール、ホッケーパック、ウエイト、バット、クラブ、スティック、パドル、マット、およびこれらの組み合わせが含まれ得る。さらなる態様では、フィットネス機器の例には、ゴールネット、フープ、バックボード、フィールドの部分、例えば、ミッドライン、外周境界、エンドゾーン、フィールドゴールマーカ、ベース、およびこれらの組み合わせなどといった、環境自体を含む、身体活動が行われる環境内の物体を含み得る。
【００１９】
図1に、本明細書で開示する一態様による、例示的フィットネス機器100を示す。例示的フィットネス機器100は、球形のボールとすることができる。フィットネス機器100は、センサ101Aおよびセンサ101Bといった1つまたは複数のセンサ（まとめてセンサ101と呼ぶ）を備え得る。センサ101は、刺激を検出し、結果として得られる信号を供給するように構成された任意の装置を備え得る。ある態様では、センサ101は、例えば、速度、加速度、圧力、所在、エネルギー移動、温度、向き、光、音、磁気、または、2本もしくはそれ以上の軸に沿った特定の動きなどといった1つまたは複数のパラメータを測定するのに用いられ得る。
【００２０】
一態様では、センサ101は、加速度計モジュールを備え得る。一態様では、加速度計モジュールは、2本の直交軸に沿った加速度を測定するための2軸加速度計を用いて実施され得る。別の態様では、加速度計モジュールは、3本の直交軸に沿った加速度を測定するための3軸加速度計を用いて実施され得る。さらなる例示的センサは、ひずみゲージ、導電性インク、圧電素子および/または圧力トランスデューサを含み得る。ある態様では、2つまたはそれ以上のセンサ101に加えられる相対圧力を使用して重量分布を表示することができる。さらに別の態様では、1つまたは複数のセンサ101によって検出または測定された圧力が、ボールまたはバットの握りといったグリップ力を検出するのに使用され得る。
【００２１】
図1に示すとおり、フィットネス機器100内には1つまたは複数のセンサ101が埋め込まれていてよい。これに関しては、センサはフィットネス機器の外層内に位置決めされていてよい。これは、センサ101を保護し、かつ/またはセンサ101の不正操作を防ぐのに好都合となり得る。別の態様では、1つまたは複数のセンサ101がフィットネス機器100内に完全に埋め込まれていなくてよい。これは例えば、センサ101から正確な測定を得るのに好都合となり得る。1つまたは複数のセンサ101がフィットネス機器100内に完全に埋め込まれているか、部分的に埋め込まれているかにかかわらず、1つまたは複数のセンサ101を取り外し可能および/または交換可能とすることができる。この実施態様は、例えば、故障したセンサまたは老朽化したセンサの交換を容易に行えるようにするためなど、1つまたは複数の理由で有用となり得る。またこの実施態様はフィットネス機器100が様々な活動で用いられることも可能にし得る。例えばフィットネス機器100がボールを備え、センサ101Aが、特定の活動を行うプロの運動選手と一般に関連付けられる第1の範囲内で加速度を検出するように構成された取り外し可能な加速度計モジュールを備えてもよい。加速度計モジュールは、異なる活動を行うプロの運動選手と一般に関連付けられるパラメータを検出するように構成された異なるセンサ（すなわち圧力センサ）に交換され得る。さらに、センサ101Aは101Bと物理的に別個のものとして図示されているが、センサ101といった2つまたはそれ以上のセンサが1つの構成部分上に設けられていてもよいことを、本開示の利益を有する当業者は容易に理解するであろう。
【００２２】
取り外し可能なセンサを使用することにより、センサ101Aといったセンサを、サッカーボール、メディシンボール、フットボールといったいくつかの異なるフィットネス機器と共に使用させることができ、かつ/または、ユーザに、新しいセンサを入手せずに、メディシンボールといった故障した機器をアップグレードまたは交換させることができる。ある態様では、1つまたは複数のセンサ101の配置は、内蔵センサ101の重量がフィットネス機器100のバランスまたは重心を変えないように構成され得る。
【００２３】
ある態様では、センサ101Aは、センサ101Bと同じ種類のものとすることができる。例えば一態様では、センサ101は各々加速度計とすることができる。別の態様では、センサ101Aは、センサ101Bと類似するが同じでないものとすることができる。例えば、センサ101Aは第1の範囲内の加速度を検出するように構成された第1の加速度計を備え、センサ101Bは第2の範囲内の加速度を検出するように構成された第2の加速度計を備えてよい。ある態様では、第1の範囲は、第2の加速度計によって検出可能な第2の範囲内の値とオーバーラップし得るかまたはそうでなければ該第2の範囲内の値を備え得る。さらに別の態様では、センサ101は異なるパラメータを測定し得る。例えば一態様では、センサ101Aは加速度計を備え、センサ101は圧力センサを備え得る。
【００２４】
センサ101は能動的でもまたは受動的でもよい。例えばある態様では、1つまたは複数のセンサが、パラメータの検出で使用され得る無線信号といった出力を能動的に送信し得るかまたは供給し得る。例えばセンサ101は、例えば無線周波数センサ、電磁センサおよび/または光センサなどを含む、無線センサといった電磁機器を備えてもよい。一態様では、1つまたは複数のセンサが、マイクロストリップアンテナを用いて実装され得る。さらに別の態様では、センサ101は、刺激を検出し、かつ/または測定するように構成された受動センサを備え得る。センサ101が能動的であるか受動的であるかにかかわらず、センサ101は、フィットネス機器100の、または第2のフィットネス機器、非フィットネス機器といった別の機器の、別のセンサによって送信された刺激または刺激の結果を検出し得る。センサ101への電力は、（以下で論じる）電源107によって提供され得る。
【００２５】
フィットネス機器100は、プロセッサ103および/またはメモリ104を備え得る。メモリ104は、読取り専用メモリ（ROM）および/またはランダムアクセスメモリ（RAM）を含み得る。当業者には理解されるとおり、メモリ104は、プロセッサ103といったプロセッサが実行するためのコンピュータで実行される命令を記憶し得る。ある態様では、プロセッサ103は、センサ101から送信された出力を処理するように構成され得る。プロセッサ103は、プログラマブルマイクロプロセッサとすることができ、さらに別の態様では、プロセッサ103は、ASICといった特定目的の回路装置とすることができる。ある態様では、メモリ104は、プロセッサ103といったプロセッサによって実行される場合に、1つまたは複数の動作の実施させるように構成され得るコンピュータ実行命令を含み得る。コンピュータ実行可能命令の例には、センサ101からの出力に対して、曲線平滑化、雑音フィルタリング、異常値除去、増幅、積算、積分などといった操作を行うことが含まれ得る。メモリ104およびプロセッサ105は機器100内に備えられるものとして図示されているが、メモリ104とプロセッサ105の両方またはどちらかがフィットネス機器100の外部にあってもよいことを当業者は容易に理解するであろう。
【００２６】
ある態様では、プロセッサ103は、機器108といった電子機器への送信のために、トランシーバ105と動作可能な通信状態にあってよく、したがって、処理済みの信号または未処理の信号をトランシーバ105に供給し得る。ある態様では、電源107は、トランシーバ105、メモリ104、プロセッサ103および/またはセンサ101に電力を供給するように構成され得る。電源107は、交流（AC）および/または直流（DC）を受け入れるように構成され得る。ある態様では、電源107は、AC電力とDC電力との間でエネルギーを変換するための変換器を含み得る。
【００２７】
電子機器108は、フィットネス機器100のトランシーバ105と通信するように構成されたトランシーバ109を備え得る。別の態様では、トランシーバ109は、フィットネス機器100に加えて、またはフィットネス機器100の代わりに、他のフィットネス機器と通信するように構成され得る。ある態様では、受信機109は、プロセッサ111といったプロセッサと動作可能な通信状態にあってよい。例えば、トランシーバは、プロセッサ111に未処理のセンサデータまたは処理済みのセンサデータといった信号を送信し得る。プロセッサ103と同様に、プロセッサ111も、処理済みの信号に対して、曲線平滑化、雑音フィルタリング、異常値除去、増幅、積算、積分などといった任意の所望の操作を行い得る。
【００２８】
電子機器108は、2つの取り外し可能な構成部分112a、112bを備え得る。例えば、構成部分112aは構成部分112bと比べて相対的に小さい構成部分とすることができる。例えば一態様では、構成部分112bは移動端末機器および/またはパーソナルメディアプレーヤであり、構成部分112aは構成部分112bにさらに別の機能を提供する。構成部分112aは、プロセッサ111が電子機器108の計算処理部113と通信できるように構成部分112bに接続し得る。プロセッサ111は直接計算処理部113と直接通信してよく、ある態様では計算処理部113の一部とすることができる。また構成部分112aも、チャネル114aといった1つまたは複数のチャネルを使用し、入力/出力（I/O）インターフェース114を介して、計算処理部113および構成部分112bの他の部分と通信し得る。ある態様では、例えば、112aが取り外しできない場合、I/Oインターフェースは除外されてよい。さらに、構成部分112aのプロセッサ111および/または構成部分112bの計算処理部113は、ある態様では、冗長であってもよいかあるいはそうでなければ不要とされてもよい。
【００２９】
計算処理部113は、メモリ115との間でデータを読み取り、かつ/または書き込むように構成されたプロセッサを備え得る。データの例には、センサ101からの未処理の信号または処理済みの信号が含まれ得る。計算処理部113は、フィットネス機器100といった1つまたは複数のフィットネス機器によって提供される処理済み信号に、例えば、ユーザが行った運動活動に対応する運動データのセットを生成するために、さらに作用し得る。ある態様では、計算処理部113は、メモリ115といったメモリ上に位置するコンピュータ実行可能命令を実行し得る。コンピュータ実行可能命令の例には、図2、図4および/または図5に関連して以下で論じる1つまたは複数のプロセスが含まれ得る。
【００３０】
電子機器108は、I/Oインターフェース装置117をさらに備えてよい。I/Oインターフェース装置117は、入力を受け取るように、または機器108からの出力を送信するように構成された1つもしくは複数のポートもしくはインターフェース（またはそのようなポートもしくはインターフェースを介して接続された機器）を備え得る。ある態様では、I/Oインターフェース装置117は、計算処理部203に永続的にまたは半永続的に接続された周辺装置を備え得る。例えば、多くのコンピュータでは、計算処理部113、メモリ115は半永続的にハウジングに収容されている。また、移動端末機器またはパーソナルメディアプレーヤといったいくつかの態様では、ディスプレイもハウジング内に備えられ得る。さらに別の態様では、取り外し可能メモリおよび/またはディスプレイといったメモリ1つまたは複数の他の周辺装置がコンピュータに取り外し可能に接続され得る。I/Oインターフェース装置117のインターフェースまたはポートは、例えば、周辺装置を（直接、またはバスなどを介して間接的に）計算処理部113と動作可能な通信状態とするための1つまたは複数の通信ポートなどを備え得る。通信ポートの例には、パラレルバスポートまたはシリアスバスポート、例えば、ユニバーサルシリアルバス（USB）規格またはIEEE1394高速シリアスバス規格（Firewireポートなど）が含まれ得る。代替としてまたは加えて、I/Oインターフェース装置117は、ネットワークと通信するように構成された通信ポートを備えてもよい。ある態様では、I/Oインターフェース装置117は、Bluetoothインターフェース、Wi−Fiインターフェース、赤外線データポートなどといった無線データ「ポート」を備え得る。
【００３１】
電子機器108は単なる例示にすぎないこと、および本開示の範囲内の様々な態様は図1に示す電子機器108よりも多数または少数の構成部分を含んでいてもよいことを理解すべきである。ある態様では、電子機器108は、フィットネスセンタにおけるサーバコンピュータといった特定の機能性を含み得る。そのような専用機器では、このため、キーボードおよび/またはマウスといった不要な周辺装置が省かれていてよいが、専用通信接続または複数の通信接続といったさらなる装置を備え得る。電子機器108の他の例示的態様は、代替としてまたは加えて、デスクトップコンピュータもしくはラップトップコンピュータといった、多種多様な機能を果たし得ることが意図されているコンピュータ機器を用いてもよい。これらのコンピュータ機器は、必要に応じて周辺装置の任意の組み合わせまたはさらに別の構成部分を有していてよい。
【００３２】
本明細書で開示するさらなる局面は、フィットネス機器100といったフィットネス機器を標準化または正規化することに関するものである。ある態様では、1つまたは複数のセンサが、使用されているフィットネス機器のうちの1つを標準化するために、1つまたは複数のフィットネス機器を使用しているユーザの能力パラメータを検出するように構成され得る。ある態様では、標準化または正規化されたフィットネス装置は、フィットネス装置のユーザの特定の動作を測定するように構成可能とし得る。ある態様では、1つまたは複数のセンサが、不適切な使用を検出するように構成され得る。一態様では、2つまたはそれ以上のフィットネス機器が、ネットワークで接続された環境において用いられ得る。
【００３３】
図2は、本発明の様々な態様に従って使用され得る例示的方法を示す流れ図200である。流れ図200は、図1に示すフィットネス機器100と併せて使用されてもよく、パラメータを検出または測定するように構成されたセンサを有する他の任意の機器と併せて使用されてもよい。ある態様では、流れ図200は、複数のセンサを有するシステムと関連させて実施される。したがって、図2の流れ図200のいくつかの態様の使用例を図3のシステム300と併せて説明する。例えば、ブロック202はフィットネス機器を検出するために実施され得る。図3のシステム300を見ると、2つのフィットネス機器、フィットネスボール301およびマット302が示されている。ボール301は、ある態様では、パワーボールまたはエクササイズボールとすることができる。ある態様では、ボール301は、図1のフィットネス装置100とおおむね同様のものとすることができ、したがってボール301は、図1に示す1つまたは複数の構成部分を備え得る。したがって、図3には明示的に示されていないが、以下で、本明細書で開示するいくつかの態様を説明する場合には、ボール301の個々の構成部分101〜108に言及する。システム300は、マット302といった別のフィットネス装置をさらに備え得る。ボール301と同様に、マット302も、図1の例示的フィットネス機器100に示す1つまたは複数の構成部分を備え得る。
【００３４】
ブロック202を実施すると、ボール301、マット302、および/またはシステム300の他のフィットネス機器の検出を行うことができる。後述するとおり、ボール301、マット302、および/または他のフィットネス機器は、キットとしてまとめて販売されてよい。ある態様では、マット302はメモリ304を備え得る。メモリ304は、マット302の識別を可能にする値を含むコンピュータ可読命令を含み得る。コンピュータ実行可能命令は、プロセッサ306といったプロセッサによって実行され、トランシーバ208などによってコンピュータ機器へ送信され得る。メモリ304、プロセッサ306、およびトランシーバ308は、これらがマット302内に埋め込まれ得ることを示すために、図3に点線で示されている。ある態様では、マット302は、構成部分304〜308を含む電子構成部分を損傷から保護する保護チャンバまたはハウジングを備え得る。同様に、ボール301のメモリ104も、ボール301の識別を可能にする値を記憶していてよい。
【００３５】
例えばボール301および/またはマット302といったフィットネス機器を表す値は一意の値を含み得る。一意の値は、その特定の機器または機器がその一部であるキットに割り当てられた通し番号を含み得る。さらに別の態様では、値は一意ではなく、機器の種類を包括的に指し得る。例えば、値は、フィットネス機器の特性の関数とすることができる。一態様では、重量6.6ポンドのボールにある値が割り当てられ、重量3.3ポンドのボールに異なる値が割り当てられ得る。別の態様では、特定の目的のために設計された、ボール301といったフィットネス機器に特定の値が割り当てられ得る。別の態様では、値は、機器の製造者または供給者が識別されることを可能にし得る。ある態様では、値は、一意の識別子と総称識別子の両方を含み得る。例えば値は、一意の通し番号（またはその部分）と同時に、指定される特性を有する機器に割り当てられる総称識別子も含んでいてよい。
【００３６】
値は、電子機器108といったコンピュータ機器で受け取られ得る。一態様では、メモリ115は、計算処理部113といったプロセッサによって実行される場合に、システム300内における1つまたは複数のフィットネス機器の検出を可能にするコンピュータ実行可能命令を含み得る。これに関しては、メモリ115は、検出されたフィットネス機器に依存し得る1つまたは複数の機能を有するソフトウェアを備え得る。例えば、ボール301またはマット302といったあるフィットネス機器が検出されるといくつかの機能が使用できるが、ボール301および/またはマット302が検出されていない場合には、機能の少なくとも一部分が使用不可にされてよいかまたは完全に機能しなくてよい。例えば図5のブロック514を説明する場合を含めて、本開示の後段で説明するとおり、本開示の局面は、センサデータに基づいてスコアを算出することに関するものである。しかし、そのような機能は、あるフィットネス機器が検出されていない場合には、使用不可にされてよいかまたはそうでなければ使用できなくてよい。
【００３７】
さらなる局面は、フィットネス装置を正規化または標準化するシステムおよび方法に関するものである。そのようなシステムおよび方法を実施することは、以下に限らないが、不適切に構成された装置を使用することが、ユーザにとってのみならず観客にとっても危険にまたは有害になり得ることを含めて、いくつかの理由で有利となり得る。さらに、フィットネス装置がスコアを提供するためにユーザの能力特性を測定するのに使用されている場合、意味のある結果が得られるように、スコアを与えられる各ユーザに提供される装置が正規化または標準化されたものであることを保証することは有益であると考えられる。
【００３８】
ある態様では、ブロック204は、1つまたは複数のフィットネス機器がある動作基準またはパラメータ以内にあるかどうか判定するために行われ得る。一態様では、ボール301のセンサ101は、ボール301の内圧を検出する圧力センサを備え得る。これに関しては、圧力が閾値を上回る場合、ユーザは、あるタスクを行うのに適したボールの握り方をしていない可能性がある。同様に、ボール301の内圧が閾値を下回る場合、ユーザは、ボールに対するグリップ力が増加することにより不公平な利益を得ることになり得る。別の態様では、マット302または別のフィットネス機器が、別のフィットネス機器の特性を検出または測定し得る。例えば一態様では、マット302は、ボール301のパラメータを測定するように構成可能なセンサ（すなわちセンサ310）を備え得る。一態様では、センサ310は、ボール301の重量が所定の範囲内にあることを保証するためにボール301の重量を測定し得る。
【００３９】
さらに、機器301および機器302といったフィットネス機器は、環境条件の、または試験用機器を装備していない、もしくは検出されていないフィットネス機器の、動作パラメータを測定または検出し得る。例えば、マット301上のある活動は、ユーザが、ジョギングシューズといった特定の種類の履物を装着することを必要とし得る。以下に限らないがセンサ310、センサ312、センサ314を含むマット301上のセンサは、スパイクといった不正な履物が装着されているかどうか検出または測定し得る。ある態様では、マット302は、履物から得られる圧力点および/または重量分布を測定するように構成された1つまたは複数のセンサを備え得る。システム300は、履物がスパイクの装着などからの許可されていない圧力点を含むかどうか判定するように構成されていてよい。許可されていない圧力点は、例えばメモリ304に位置するコンピュータ実行可能命令に記載された既定の範囲に基づいて判定され得る。
【００４０】
別の態様では、構成部分をフィットネス機器とし得るが、そのセンサは、他のフィットネス機器によって検出可能な特性を測定するように構成されていなくてよい。例えば一態様では、少なくとも1つのフィットネス機器が履物製品を備えてよい。例えば履物は、速さを測定するセンサを備えてよいが（速さを検出するために実施され得る例示的方法は以下でより詳細に論じる）、履物は、スパイクの使用といった許可されていない圧力点を検出するための圧力センサを備えなくてよい。したがって、履物は技術的にはフィットネス機器であるが、マット302といった別のフィットネス機器が、履物のある特性を検出するのに使用され得る。
【００４１】
ある態様では、カメラ320といったカメラも、本明細書で開示する任意のプロセスまたはルーチンの前、その間またはその後に、ユーザの1つまたは複数の特性を検出または測定し得る。カメラ320は、マット302を備える1つまたは複数のフィットネス機器に、物理的または論理的に組み込まれていてよい。別の態様では、カメラ320は、野球関連の活動で使用され得る、バッターのヘルメットといったヘルメット内に実装され得る。一態様では、カメラ320は、携帯電話といった移動端末機器において動作可能に接続され得る。ある態様では、移動端末機器（または任意のモバイル機器）は、機器をフィットネス機器として機能するように構成するコンピュータで実施される命令を有するメモリを備える汎用機器とすることができる。例えば、携帯電話は、身体活動の間の速度、加速度、所在または他のパラメータを検出するために、GPS、および/またはセルラ信号またはWI−FI信号といった信号の位置特定を使用するなどして、ユーザを追跡するソフトウェアを備えてもよい。これに関しては、カメラ320といったカメラは任意の種類のフィットネス機器と関連付けられ得ることを当業者は容易に理解するであろう。
【００４２】
別の態様では、カメラ320は、1つまたは複数のフィットネス機器と物理的または論理的に別個のものとすることができる。一態様では、カメラ320は、1つまたは複数の画像を取り込むように構成された任意の種類の撮像装置を備え得る。一態様では、カメラ320は、静止画像を取り込むように構成されていてよく、別の態様では、ビデオを形成するためなど、複数の画像を取り込むように構成されていてよい。カメラ320は、任意の光スペクトルを取り込むように構成されていてよい。例えばある態様では、カメラ320は、赤外線（IR）光を取り込んでもよい。別の態様では、カメラ320は、複数のカメラとすることができる。カメラ320は、3次元運動を検出し得る。さらなる態様では、カメラ320は、検出された動きの3次元アニメーションのレンダリングに用いられ得る。カメラ320は、ボール301またはマット302を備える他のフィットネス機器と合わさったキットとして販売されてよい。
【００４３】
基準（パラメータ）が所定の範囲内にないと判定される場合（すなわちブロック206）には、ブロック204において、ソフトウェアアプリケーションおよび/または別のフィットネス機器の1つまたは複数の機能が使用不可にされてもよいかまたはそうでなければ使用できなくてよい。例えば、フィットネス機器301、302の1つまたは複数に由来するセンサデータに基づいてあるスコアを算出するのを支援するソフトウェア機能が機能しなくてもよい。別の態様では、スコアはやはり算出されることが可能となってよいが、あるパラメータが既定の範囲内に含まれない場合、スコアは認定されず、または資格証明書と関連付けられなくなる。一態様では、フィットネス機器はボール301といったボールを備え、既定の動作基準は、重量、寸法、内圧、およびこれらの組み合わせに関する範囲を指定し得る。一態様では、所定の範囲は1つの値を含み得る。例えば一態様では、ボールについての許容できる範囲は3.3ポンドであり、よって、3.2ポンドも3.4ポンドも、それぞれ、範囲外になると考えられる。
【００４４】
ある態様では、ブロック208で、表示装置上にメッセージを表示するように構成された電子信号を送信し得る。例えば一態様では、ボール301またはマット302といったフィットネス機器のエラーを表示する、ユーザが見るためのメッセージが表示され得る。ある態様では、メッセージは、ブロック206において得られた検出値または測定値を、許容できる範囲と共に表示し得る。さらに別の態様では、より簡単なメッセージでどのパラメータが不十分であったかだけを表示し得る。なおさらなる態様では、さらに簡単なメッセージでフィットネス機器がテストに合格しなかったことを表示し得る。表示装置上にメッセージを表示することに加えて、またはその代わりに、検出パラメータまたは測定パラメータに関する情報が、メモリ115といったコンピュータ可読媒体上に記憶されてもよく、通信チャネルを介してリモートのコンピュータ可読媒体に送られてもよい。
【００４５】
ブロック204において、1つまたは複数のパラメータが既定の範囲内にあると判定された場合、ブロック210が実施され得る。ブロック210では、フィットネス機器301、302の1つまたは複数の特性を調整し得る。調整（または調整するという判定）は、ブロック204で検出または測定された1つまたは複数のパラメータに基づき得る。別の態様では、調整（または関連した判定）は、センサ101、310、312、および/または314から得られた任意のデータに基づくものとすることができる。例えば一態様では、センサ314がしるし316としるし318との間の位置決めされる。ユーザの身長または体重が閾値を上回る場合、しるし間の距離を増加させてよい。一態様では、しるし316、318は、1つまたは複数の発光ダイオード（LED）によって表示され、自動的に調整され得る。別の態様では、マット302は、しるし316またはしるし318が調整されることを可能にする軌道を含み得る。実際には、しるし316、318の調整を可能にするように構成され得る任意の機構が本発明の範囲内に含まれる。
【００４６】
ブロック212は、どの活動プロトコルをフィットネス機器301、302で行うべきか判定または選択するために実施され得る。一態様では、スコアを提供するための定義された活動の間にユーザの能力特性を測定するように構成された試験プロトコルが実施され得る。一態様では、SPARQ（商標）試験プロトコルが選択され得る。SPARQ（商標）試験プロトコルとすることのできる選択プロトコルは、複数の他の活動プロトコルの中から選択されてよい。例示的プロトコルは、SPARQ（商標）フットボール試験プロトコル内に記載されている1つまたは複数の活動を含んでいてよく、このプロトコルは、http://www.nike.com/nikeos/p/sparqtraining/en_US/how_to_test?sport=football2&gender=m&user_type=athlete&test=overview（最終アクセス2010年5月25日）に公開されており、参照によりその全体が本明細書に組み入れられる。
【００４７】
1つまたは複数の要因が活動プロトコルの選択に際して考慮され得る。図4に、例えばブロック212と関連して、活動プロトコルを選択することの一部として実施され得る本発明の一態様による例示的方法の流れ図400を示す。図4の様々なブロックは直線的配置として示されているが、流れ図400は単なる例示にすぎず、図示した各ブロックは、流れ図400の別のブロックと関連付けられた活動を含むある動作または他の動作と同時に行われることを含む任意の順序で行われ得ることを、本開示の利益を有する当業者は容易に理解するであろう。さらに、より多数または少数のプロセスが、本発明の範囲を逸脱することなくプロトコルの選択と関連して行われてもよい。
【００４８】
ブロック402は1つまたは複数のフィットネス機器を検出し得る。ある態様では、ブロック402は、ブロック202の一部とし得るか、またはブロック202からの情報もしくはデータを組み込み得る。別の態様では、ブロック402は、ブロック202に加えて、またはその代わりに実行される。一態様では、ボール301およびマット302の検出時に、例えば電子機器108のメモリ115上に位置し得るコンピュータ実行可能命令が、特定の活動プロトコルを選択するために、例えば計算処理部113によって実行され得る。ある態様では、あるフィットネス機器の検出があるプロトコルの選択を可能にし得る。例えば、マット302は検出されたがボール301は検出されていない場合には、通常は使用可能である少なくとも1つのプロトコルは選択に望ましいと考えられる。
【００４９】
ブロック404は、ボール301またはマット302といった1つまたは複数のフィットネス機器上の1つまたは複数のセンサを検出し得る。例えば、ボール301のセンサ101は、他のセンサと交換可能とすることができる。したがって、ある組み合わせでは、センサ101はボール301に、バランスを失わせるかまたは誤った重心を持たせる可能性がある。したがって一態様では、ボール301または他のフィットネス機器内の1つまたは複数のセンサ101の存在を検出するコンピュータ実行可能命令が実行され得る。一態様では、センサ101の実際の配置が考慮され得る。よって、本明細書で開示する態様は、内蔵センサ101の重量がフィットネス機器100のバランスまたは重心を変えないように構成され得ることを想定している。ある態様では、あるセンサまたはセンサの組み合わせが検出された場合には、「認定された」プロトコルが選択されなくてよか、または選択されても「認定」されなくてよい。
【００５０】
これに関しては、ブロック404では、「認定された」センサがフィットネス機器301、302内にあるかどうか判定し得る。一態様では、安価なセンサがユーザにある試験プロトコルを選択させることができるが、安価なセンサは、テスト装置を用いて行われる活動を認定するのに必要とされるレベルの正確さおよび/または精度を持たない可能性もあるため、フィットネス装置を使用した測定パラメータは認定されなくてよい。ある態様では、例えばコンプライアンスを保証するために、特定のセンサを、あるフィットネス装置に関連したある構成だけで適合するような形状とし得る。
【００５１】
説明のためのブロック406は、活動プロトコルを選択する前に、センサから1つまたは複数のパラメータを得るために実施され得る。パラメータには、例えば、環境、ユーザ、他の装置、および/またはこれらの組み合わせからのパラメータが含まれ得る。ある態様では、パラメータは、活動プロトコルの選択の前に測定もしくは検出され、その後に選択に際して用いられ、かつ/または選択のための選択肢を提供し得る。例えば、1つまたは複数の活動プロトコルが、ユーザの体重および/もしくは身長またはユーザの体重もしくは身長の組み合わせに基づいて、選択され得るかまたは選択のために使用可能となり得る。ある態様では、センサ101は、ボール301とマット302との距離を測定し得る。マット302は、センサ406、408、および/または410のうちの1つがユーザの体重を測定するように構成されるように構成され得る。例えば一態様では、ユーザは、マット302上に立っている間にユーザの頭部上にボール301を置くように依頼され得るかまたは要求され得る。ユーザの体重および身長は単なる測定の例にすぎず、他の測定または1つもしくは複数のフィットネス機器からのパラメータの検出も本発明の範囲内に含まれることを当業者は理解するであろう。
【００５２】
ブロック408においてユーザ入力が実施され得る。ユーザ入力は、例えば、電子機器117のI/Oインターフェース装置117を介して受け取られ得る。一態様では、ユーザ入力は、特定の活動プロトコルを選択し得る。プロトコルの選択は、複数の使用可能なプロトコルの中から行われ得る。複数の使用可能なプロトコルは、例えば、ブロック402〜ブロック406に関連して説明したプロセスまたは本明細書で開示する他のプロセスを含む、他のプロセスの中から得られた1つまたは複数の結果に少なくとも部分的に基づくものとすることができる。
【００５３】
ブロック216は、活動プロトコルを開始するために実施され得る。一態様では、活動プロトコルは、ブロック214で選択されたプロトコルを含み得る。図5は、本発明の一態様による、活動プロトコルを実行する例示的方法の流れ図である。図5の例示的流れ図500は単に1つの例示的態様を示すにすぎず、特定の態様への本発明の限定として解釈されるものではない。図5を見ると、ユーザは、ある活動を行うよう指示され得る（ブロック502参照）。ある態様では、指示は、単に、例えば電子機器108のI/Oインターフェース装置117に動作可能に接続されたユーザ入力機器などを用いてユーザが選択し得るリンクを提供することによって提供されてもよい。さらなる態様では、指示は、例えば、ユーザが活動をいつ「開始」または「停止」すべきかを指示する、可聴構成部分を含み得る。さらになお別の態様では、指示は、ビデオ、または電子的に生成された指示を含んでいてよく、この指示は例えば、電子機器108に動作可能に接続された表示装置によって提供されてもよい。別の態様では、指示は、例えばユーザに、電子機器108に動作可能に接続された印刷機器を用いるなどして指示を紙に印刷させることによって、有形的形態で提供され得る。
【００５４】
さらなる態様では、指示は、ボール301またはマット302といったフィットネス機器からの出力を送信することにより提供され得る。例えば一態様では、しるし316を、（例えばブロック502からの）指示がそのしるし316から活動を開始するよう要求する「スタートライン」とすることができる。ある活動プロトコルはユーザにしるし318へ向かって進むよう要求してよく、したがってある態様では、LEDといった視覚表示がしるし316、318のうちの1つまたは複数と関連付けられていてよい。例えば、緑色のLEDはユーザがしるし316から開始することを表示し、赤色のLEDはユーザがしるし318で停止すべきことを表示し得る。別の態様では、活動の異なる開始位置を表示するために、しるし318がしるし318と関連付けられ得る。別の態様では、ボール301の一部分が点灯してよいか、振動してよいか、または別の方法でユーザに合図するのに使用されてよい。指示は、1つまたは複数のセンサまたは他の機器から検出されたパラメータに基づくものとすることができる。
【００５５】
ブロック504は、センサ101および/またはセンサ310、312、もしくは314を含むセンサから1つまたは複数のパラメータを受け取り得る。さらに、受け取られるすべてのパラメータがフィットネス機器から受け取られるべきであるという要件はない。ある態様では、カメラ320はフィットネス機器と関連付けられていなくてよいが、カメラ320からのパラメータが、ブロック504の一部、または本明細書で開示する他の任意のプロセスで受け取られてよい。センサ101、310、312、314および/またはカメラ320といったセンサ由来の情報は、プロセッサ103、プロセッサ111、および/または計算処理部113といった1つまたは複数のプロセッサにおいて処理され得る（ブロック506などを参照）。一態様では、未処理のデータが処理され得る。別の態様では、センサ101といったセンサ由来のデータが、複数の異なるプロセスに従って処理され得る。センサ101Aといったあるセンサ由来のデータの処理が、センサ101Bといった別のセンサから受け取られるデータに依存していてもよい。別の態様では、センサ101といった複数のセンサ由来のデータが組み合わされ得る。1つまたは複数のセンサ由来のデータの厳密な処理は、それに限らないが特定の活動プロトコルを含む無数の要因に依存し得ることを、本開示の利益を有する当業者は理解するであろう。
【００５６】
センサ101、310、312、314および/またはカメラ320といったセンサ1つまたは複数のセンサから得られたデータは、能力特性を算出するのに用いられ得る（ブロック508などを参照）。データは、未処理のデータおよび/または処理済みのデータを含み得る。一態様では、データは、ブロック506に従って処理されたデータを含む。1つの能力特性の例は速さを含み得る。速さは、例えば加速度計によって、1つまたは複数の軸に沿った速度により測定され得る。例えば、速さパラメータは、線速度および/または横速度を組み込むことができると考えられる。他の態様では、旋回速度が考慮され、例えば、ユーザが自分の右もしくは左へ、または前方もしくは後方へ方向を転換する速さが測定され得る。ある態様では、例えば、2本の直交軸に沿った速度の検出を可能にするために多次元加速度計が用いられ得る。別の態様では、加速度計は3本の直交軸に沿って速度を測定し得る。
【００５７】
加速度計は、単独で、または別のセンサといった1つまたは複数のさらに別の機器と組み合わせて、初期加速度もしくは開始加速度、減速度、異なる時間枠の間の加速度、および/または特定の場所での加速度を含む加速度を測定し得る。例えば、センサ310、312、および314は、ユーザの圧力、したがってマット302上のユーザの位置を検出するのに使用されてもよい。さらに、例示のデータは、例えば、進んだ距離、飛んでいる間の速度、および/または衝撃時のパワーなどに関していてもよい。センサ101、310、312、314といったセンサは、無線信号などによって、情報位置特定データを送信し、かつ/または受信するように構成され得る。一態様では、ユーザ、フィットネス機器301、302、またはこれらの組み合わせの位置を検出するのにGPSデータが用いられ得る。別の態様では、1つまたは複数のセンサは、能動または受動RFID部品を備え得る。例えば、ユーザが、マット302に内蔵されるかまたはマット302に取り付け可能であるなどのRFID装置の近接範囲内を通過する際に、その位置が判定されてもよい。別の態様では、光信号が、1つまたは複数の能力特性の判定を支援し得る。例えば、ユーザが光線を横切る場合に、センサで受け取られる光の遮断はユーザの位置を表示することができ、さらに、（光、無線、およびこれらの組み合わせといった）信号の受信の遮断のタイミングは、速度、および/または加速度といった他の能力特性に関するデータをさらに提供することができる。
【００５８】
能力特性の算出は、メモリ115といったコンピュータ可読媒体上に記憶された1つまたは複数のアルゴリズムまたは規則を使用して行われ得る。加速度計信号からユーザの速さを求めるための手法の例は、例えば、2005年5月24日に発行された、「Monitoring Activity Of A User In Locomotion On Foot」という名称の、Blackadar et al.に付与された米国特許第6,898,550号、2005年4月19日に発行された、「Monitoring Activity Of A User In Locomotion On Foot」という名称の、Ohlenbusch et al.に付与された米国特許第6,882,955号、2005年4月5日に発行された、「Monitoring Activity Of A User In Locomotion On Foot」という名称の、Darley et al.に付与された米国特許第6,876,947号、2002年12月10日に発行された、「Monitoring Activity Of A User In Locomotion On Foot」という名称の、Ohlenbusch et al.に付与された米国特許第6,493,652号、2001年10月2日に発行された、「Detecting The Starting And Stopping Of Movement Of A Person On Foot」という名称の、Blackadar et al.に付与された米国特許第6,298,314号、2000年4月18日に発行された、「Measuring Foot Contact Time And Foot Loft Time Of A Person In Locomotion」という名称の、Gaudet et al.に付与された米国特許第6,052,654号、2000年1月25日に発行された、「Measuring Foot Contact Time And Foot Loft Time Of A Person In Locomotion」という名称の、Gaudet et al.に付与された米国特許第6,018,705号に記載されており、これらの各々は、あらゆる目的でその全体が参照により本明細書に組み入れられる。
【００５９】
１つの活動プロトコルは1つまたは複数の下位構成部分を有していてよい。例えば、第1の下位構成部分は、ユーザから主に第1の運動特質または特質群を測定するように設計され、かつ/または実行され得る。例えば、活動プロトコルのある部分の間にはいくつかの能力特性が収集され得るが、特に、パワー、敏捷さ、速さ、反応、敏速さ、これらの特性のうちの1つまたは複数の組み合わせについての特定のテーマがあってもよい。特定の活動が、特に、体重、性別、身長、過去の成績、意図される成績、目標、これらの特性のうちの1つまたは複数の組み合わせといったユーザの特性を含むさらなる変数に依存した順序で選択され、かつ/またはグループ化されてもよい。
【００６０】
フットボールといったある特定のスポーツはパワーと速さを必要とするが、他のスポーツは、パワーはあまり必要とせず、より多くの速さを必要とし得る。したがって、これらの特性を測定するのに異なる活動が行われ得る。さらに、フットボールといったチームスポーツ内の異なるポジションは、多くの場合、最適な能力に必要とされる強みが異なる。したがって、個人によって異なる活動プロトコルを行うことが重要となり得る。ある態様では、異なるスコアを提供するために個人によって異なる活動プロトコルが提供され得る。例えば、サッカーの活動プロトコルは、フットボールの活動プロトコルと異なっていてよく、2つの異なるスコアをもたらす。例えば、第1のスコアは「サッカー」のスコアとすることができ、第2のスコアは「フットボール」のスコアとすることができると考えられる。さらに別の態様では、すべての個人に、以下に限らないが、速さ、敏捷さ、パワー、敏速さ、反応およびこれらの組み合わせを含む能力特性を集約したものを測定する全般的スコアといった特定のスコアが割り当てられ得る。
【００６１】
ブロック510は、1つまたは複数の活動プロトコルの最中に得られたデータが、検証され得るかどうか判定され得る。一態様では、データの検証は、フィットネス機器100、301、および302のセンサ101、310、314といった1つまたは複数のセンサから得られた1つまたは複数のデータを比較し得る。ある態様では、受け取られる値は、機器301および機器302といったあるフィットネス機器の存在または使用を表示する。そのような態様では、図2のブロック202に関連して説明した1つまたは複数のプロセスとほぼ同様の方法が実施され得る。例えば、あるフィットネス機器（またはフィットネス機器の特定のセンサ）が検出されていない場合には、データは検証されなくてよい。
【００６２】
さらなる態様では、センサ（すなわちセンサ101およびセンサ310〜314）から収集されたパラメータが、ブロック510として提示されるなどの検証プロセスで用いられ得る。例えば、活動プロトコルはユーザに、第1の期間にしるし316のところで、またはしるし316の周りでボール301を操り、次いで、しるし318の位置からセンサ312へ向かって跳ぶよう要求してもよい。そのようなプロトコルでは、ボール301のセンサ101は、位置感知装置を備え、ユーザ以外の個人が活動プロトコルを支援しないようにするのに使用され得る。別の態様では、ユーザが特定の活動プロトコルに従って1つまたは複数の活動を正しく行っていることを確実にするために、腕または脚といったユーザの部位の速度が、ボール301といったフィットネス機器の速度と比較され得る。検証は、活動プロトコルの特定の活動が行われた時間を考慮し得る。例えば、活動プロトコルは、ユーザが特定の動作を所定の時間枠内に行うことを要求し得る。さらなる要件は、第2の動作が第1の動作から所定の時間枠後に行われるべきことを要求し得る。これに関しては、1つまたは複数のセンサ由来の整合性のないデータが検出または測定され得る。ボール301、マット302または他のフィットネス機器とは別個のセンサもまた、データを検証するのに用いられてもよい。例えば、カメラ320由来のデータが、フィットネス機器のセンサ由来の任意のデータの検証で用いられてもよい。
【００６３】
検証のシステムおよび方法は、本明細書で論じた任意のプロセス由来の任意の情報を用いてもよい。例えば、図2および/または図5内で論じたプロセスに関連して、集められた、送信されたまたは受信された任意の情報が、検証プロセスの一部として用いられてもよい。例えば、ブロック202（フィットネス機器を検出する）の間に得られたデータが、ブロック506（センサ由来の情報を処理する）の間に得られたデータと組み合わされてもよい。これに関しては、各プロセス（すなわちブロック202とブロック506）の間に既定の基準の許容できるパラメータ内であったデータが、別々に、または組み合わせて、異なる基準に適用され得る。さらに、そのようなデータからの派生データが、単独で、または組み合わせとして、様々な態様による検証プロセスにおいて使用されてもよい。
【００６４】
検証の判定は、1つまたは複数のローカルまたはリモートの電子機器を使用して行われ得る。一態様では、電子機器108は、データを検証する1つまたは複数のプロセスを行うように構成されている。ある態様では、ネットワーク上でリモートに位置するサーバといったリモート電子機器がデータの検証で用いられ得る。別の態様では、ブロック510が省かれ、かつ/または、データが検証されたかどうかの表示を受け取るだけの別のプロセスと置き換えられ得る。
【００６５】
ブロック512は、（フィットネス機器、またはフィットネス機器の一部ではない場合のカメラ320といった別の機器からの）獲得データの任意の部分が検証されない場合には、実施されなくてよい。ブロック512では、エラーメッセージを提供するように構成された電子信号を送信（または受信）し得る。一態様では、ブロック512は、図2のブロック208に関連して説明した1つまたは複数のプロセスを組み込み得る。エラーメッセージは、したがって、どんなデータが検証されなかったか、なぜ特定のデータが検証され得なかったか、または検証されなかったか、推奨される解決策、活動プロトコルの影響を受けた活動、およびそれによる組み合わせを表示し得る。さらなる可能なエラーメッセージは、単に英数字値といったコードを記載し得る。ある態様では、英数字値は、第三者が、データ、フィットネス機器、活動プロトコル、およびこれらの組み合わせの1つまたは複数の問題を特定するのに用いられ得る。ある態様では、コードは、ユーザが容易に解読できないものとすることができる。これは、ユーザが、活動プロトコルを不正確に行おうとして、エラーを抑え、または回避するために許可されていない活動を行おうとするのを防ぐのに好都合となり得る。エラーメッセージは、電子機器108を含む1つまたは複数の電子機器に送信され得る。ある態様では、メッセージは、移動端末機器といった別の機器に送信され得る。エラーメッセージが英数字値を使用するという要件はない。ある態様では、エラーメッセージは、収集されたデータの少なくとも一部分が検証され得ず、または検証されなかったことを表示するのに、聴覚、視覚、または視聴覚の合図を使用し得る。
【００６６】
しかし、ブロック510でデータの少なくとも一部分が検証された場合には、スコアが算出され得る（ブロック514などを参照）。前述のように、スコアは、活動プロトコル、ユーザ特性、および/または他の変数に基づくものとすることができる。算出は、ブロック508の1つまたは複数の能力特性に基づくものとすることができる。これに関して、スコアの算出は、少なくとも部分的に、特定のデータの包含および/または特定の能力特性の重み付けに基づくものとすることができる。スコアの算出は、以下に限らないが、プロセッサ103、プロセッサ111、および/または計算処理部113を含む、1つまたは複数のローカルまたはリモートのプロセッサにおいて行われ得る。ある態様では、スコアは、1つまたは複数の下位スコアに基づいて調整され得る。例えば、下位スコアは、速さ、応答性、敏速さ、および/またはパワーといった特定の特性について算出され得る。ある態様では、ユーザにはただ1つのスコアだけが提供され得るが、下位スコアはブロック516などで、ユーザのスコアを改善する助言を与えるのに使用され得る。
【００６７】
ブロック516は、ユーザのスコアを改善する助言を与えるために実施され得る。前述のように、助言は、少なくとも部分的に、1つまたは複数の下位スコアに、または収集データの一部分に基づくものとすることができる。例えば、特定の下位スコアは算出される必要はないが、未処理のまたは処理済みのデータが、助言を与えるのに使用されてもよい。助言は、特定の能力特性、活動プロトコルを伴う特定の活動、またはこれらの組み合わせの表示を含み得る。助言は、1つまたは複数の活動プロトコルの最中に行われなかった活動の列挙を含んでいてよい。
【００６８】
履歴データがブロック516の一部として使用され得る。履歴データの例には、前の活動プロトコルから収集されたセンサデータが含まれ得る。例えば、履歴データは、ユーザがある活動の間に自分の成績を上げたまたは下げたことを表示し得る。別の履歴データは、同じまたは類似の活動プロトコルを行った他の個人といった他の個人に関する情報を含み得る。データは、例えば性別および/または年齢を含む類似のユーザ特性を有する他者に限定されてもよい。ブロック516では、ユーザの目標または望ましい成績レベルを考慮し得る。例えば、ユーザが、ディビジョンI大学フットボールでプレーしたい高校フットボール選手である場合、ブロック516では助言を与えるのにこのデータを用い得る。他の個人から得られたデータを提供することは、エクササイズルーチンを維持するための競争および/または動機付けを強化し得る。さらに、推奨されるルーチンは、個人が特定の目標に到達するのを支援するのに一層役立ち得る。ある態様では、データが、第三者の情報を特定することと関連付けられ得る。例えば、ユーザのデータが複数の個人からのデータと比較されてもよい。一態様では、類似のスコア、下位スコア、能力特性、人口統計的特質、およびこれらの組み合わせといった既定の特性を有する地方の個人が特定され得る。ユーザは、他の個人と、直接または間接的に連絡を取る機会を与えられ得る。これは、例えば、競争を提供することによりユーザに動機を与えるのに有益となり、かつ/またはフィットネス機器100、301、302を一緒に使用し得る。
【００６９】
本発明のさらに別の例示的局面として、フィットネス機器または電子機器の1つまたは複数の要素または構成部分は、キットとして、流通されてよいか、販売されてよいか、または用いられてよい。そのような一態様は、含んでいるキットを含み得る。
【００７０】
キットは、1つまたは複数の特定のセンサを1つまたは複数のフィットネス機器と共に使用することを含む、フィットネス機器を構築するための指示と関連付けられていてよい。さらなる指示は、1つまたは複数の活動プロトコルの最中に1つまたは複数のフィットネス機器をどのように使用すべきか表示し得る。ある態様では、1つまたは複数のフィットネス機器を1つまたは複数のさらに別の電子機器と共に使用してスコアを生成するための例示的方法を表示する指示が提供され得る。どんな指示も、印刷され、キットのその他の構成部分と物理的に一緒に存在している必要はなく、指示はコンピュータ可読媒体上で提供され得ることを当業者は容易に理解するであろう。そのような指示は、ユーザがアクセスし得るサーバ上に置かれていてもよい。ある態様によれば、ユーザには、指示を含むインターネット上のアドレスへのリンクといった情報が提供されてよく、これは指示の提供の範囲内に含まれると考えられる。よって、本明細書で使用する場合、指示を提供することは、フィットネス機器と一緒に渡すことのできる印刷物だけに限定されない。
【００７１】
本発明を実施する本明細書の好ましい態様を含む具体例に関して、本発明を詳細に説明したが、上記のシステムおよび方法の多数の変種および変形があり得ることを当業者は理解するであろう。よって、本発明の趣旨および範囲は、添付の特許請求の範囲に記載されているように広く解釈すべきである。
【図１】
2014534887.tif 000004
【図２】
2014534887.tif 000005
【図３】
2014534887.tif 000006
【図４】
2014534887.tif 000007
【図５】
2014534887.tif 000008
【手続補正書】
【提出日】平成26年10月9日(2014.10.9)
【手続補正１】
【補正対象書類名】特許請求の範囲
【補正対象項目名】全文
【補正方法】変更
【補正の内容】
【特許請求の範囲】
【請求項１】
以下の段階を含む、ユーザの能力特性を評価する方法:
第1の電子機器において、少なくとも1つのセンサを備えるボールを電子的に検出する段階であって、該ボールが、第1のパラメータおよび該ボールの動作基準を測定するように構成され、該第1の電子機器が該ボールと物理的に別個のものである、段階；
該第1の電子機器において、該ボールの該少なくとも1つのセンサのグリップ圧力センサから読み取っているセンサを受け入れる段階であって、該グリップ圧力センサが、該ボールに対するユーザの1本または複数本の手のグリップ圧力を示す、段階；ならびに
該第1のパラメータと、該動作基準の既定の閾値を該ボールに対する該ユーザのグリップ圧力が満たしていることを示す該ボールの少なくとも1つのセンサのグリップ圧力センサから読み取っている該センサとを測定するための該ボールの機能に少なくとも部分的に基づいて、該第1の電子機器のユーザによるその後の選択のために使用可能である複数の活動プロトコルの第1の活動プロトコルの少なくとも1つを、該第1の電子機器によって選択する段階。
【請求項２】
前記少なくとも1つのセンサが、前記第1のパラメータを測定するように構成された第2のセンサを備える、請求項1記載の方法。
【請求項３】
前記第1の活動プロトコルをユーザが実施している間に前記ボールの1つまたは複数のセンサから収集されたデータから、複数の能力特性を算出する段階
をさらに含む、請求項2記載の方法。
【請求項４】
前記能力特性が、パワー、敏捷さ、速さ、反応、敏速さ、およびこれらの組み合わせからなる群より選択される、請求項3記載の方法。
【請求項５】
第2の電子機器のセンサからデータを受け取る段階;ならびに
2つのユーザ動作の間のタイミング、特定のユーザ動作のタイミング、ユーザの所在、フィットネス機器の所在、ユーザの速度、フィットネス機器の速度、ユーザの加速度、フィットネス機器の加速度、センサの検出、フィットネス機器の検出、およびこれらの組み合わせからなる群より選択される動作の妥当性を確認するために、前記ボールの前記センサから収集されたデータと該第2の電子機器から収集されたデータとを相互参照する段階
をさらに含む、請求項3記載の方法。
【請求項６】
前記既定の動作基準が、内圧に関する範囲を指定する、請求項1記載の方法。
【請求項７】
前記ボールのセンサを使用して、既定の動作基準を装置が満たすかどうか判定する段階
をさらに含む、請求項1記載の方法。
【請求項８】
以下の段階を含む、ユーザの能力特性を評価する方法:
システム内において複数のフィットネス機器を検出する段階であって、該複数のフィットネス機器が、少なくとも
第1のフィットネス機器に接触しているユーザの1本または複数本の手のグリップ圧力を測定するように構成された少なくとも1つの圧力センサを備える、該第1のフィットネス機器と、
第2のパラメータを測定するように構成された少なくとも1つのセンサを備え、該第1のフィットネス機器と物理的に別個のものである、第2のフィットネス機器と
を備える、段階;
検出された該フィットネス機器のうちの少なくとも1つのセンサを用いて、既定の動作基準を少なくとも1つの検出されたフィットネス機器が満たすかどうか判定する段階;ならびに
該グリップ圧力を測定するための該第1のフィットネス機器の機能と、該第2のパラメータを測定するための該第2のフィットネス機器の機能と、検出された該機器のうちの少なくとも1つが該既定の動作基準を満たしているという判定とに少なくとも部分的に基づいて、第1の電子機器のユーザによるその後の選択に使用可能である複数の活動プロトコルの第1の活動プロトコルの少なくとも1つを、該第1の電子機器によって選択する段階。
【請求項９】
前記第1の活動プロトコルをユーザが実施している間に第1のフィットネス機器および第2のフィットネス機器から収集されたデータから、複数の能力特性を算出する段階
をさらに含む、請求項8記載の方法。
【請求項１０】
前記能力特性が、パワー、敏捷さ、速さ、反応、敏速さ、およびこれらの組み合わせからなる群より選択される、請求項9記載の方法。
【請求項１１】
2つのユーザ動作の間のタイミング、特定のユーザ動作のタイミング、ユーザの所在、フィットネス機器の所在、ユーザの速度、フィットネス機器の速度、ユーザの加速度、フィットネス機器の加速度、センサの検出、フィットネス機器の検出、およびこれらの組み合わせからなる群より選択される動作の妥当性を確認するために、前記第1のフィットネス機器のセンサから収集されたデータと前記第2のフィットネス機器のセンサから収集されたデータとを相互参照する段階
をさらに含む、請求項9記載の方法。
【請求項１２】
算出された前記能力特性の少なくとも一部分から、スコアを算出する段階
をさらに含む、請求項11記載の方法。
【請求項１３】
少なくとも1つの検出されたフィットネス機器がボールを備え、かつ、前記既定の動作基準が、重量、寸法、または内圧のうちの少なくとも1つに関する範囲を指定する、請求項8記載の方法。
【請求項１４】
検出されたフィットネス機器のセンサを使用して、既定の動作基準を、検出された該フィットネス機器のうちの1つではない装置が満たすかどうか判定する段階
をさらに含む、請求項8記載の方法。
【請求項１５】
検出されたフィットネス機器がマットを備え、かつ、前記装置が履物を備える、請求項14記載の方法。
【請求項１６】
前記マットのセンサを用いて、前記履物からの圧力を検出する段階;および
許可されていない圧力点を該履物が含むかどうか判定する段階
をさらに含む、請求項15記載の方法。
【請求項１７】
検出された前記フィットネス機器がマットと履物とを備え、該マットが、該履物からの圧力を検出するように構成された1つまたは複数のセンサを備え、前記方法が、
該マットのセンサを用いて、該履物からの圧力を検出する段階;および
許可されていない圧力点を該履物が含むかどうか判定する段階
をさらに含む、請求項8記載の方法。
【請求項１８】
少なくとも1つの動作基準が満たされていないと判定する段階;および
前記システムの機能を使用不可にする段階
をさらに含む、請求項8記載の方法。
【請求項１９】
前記機能がスコアの算出を含む、請求項18記載の方法。
【請求項２０】
前記機能が認定スコアの算出を含む、請求項19記載の方法。
【請求項２１】
少なくとも1つの特定の種類のフィットネス機器が検出されていないと判定し、前記システムの少なくとも1つの機能を使用不可にする段階
をさらに含む、請求項8記載の方法。
【請求項２２】
前記機能がスコアの算出を含む、請求項21記載の方法。
【請求項２３】
前記機能が認定スコアの算出を含む、請求項22記載の方法。
【請求項２４】
検出されたフィットネス機器の少なくとも1つまたは前記装置がカメラを備え、かつ、前記方法が、
該カメラを用いて画像を取り込む段階;および
運動の複数の3次元画像を生成する段階
をさらに含む、請求項14記載の方法。
【請求項２５】
検出されたフィットネス機器の第1のセンサが第2のセンサに交換されていることを検出する段階;および
複数の前記活動プロトコルの中から第2の活動プロトコルを選択する段階
をさらに含む、請求項8記載の方法。
【請求項２６】
前記第2のセンサが前記第1のセンサと異なる種類のセンサであると判定する段階
をさらに含む、請求項25記載の方法。
【請求項２７】
第1のフィットネス機器の検出された特性に少なくとも部分的に基づいて、第2のフィットネス機器の特性を調整する段階
をさらに含む、請求項8記載の方法。
【手続補正２】
【補正対象書類名】明細書
【補正対象項目名】００１４
【補正方法】変更
【補正の内容】
【００１４】
[本発明1001]
フィットネスパラメータを測定するように構成された、第1のセンサと、
ボールの第1の動作基準を測定するように構成された、第2のセンサと、
該第1のセンサおよび該第2のセンサによって測定された第1の該パラメータおよび該第1の動作基準に関するデータを無線送信するように構成された、トランシーバと
を備える、該ボール。
[本発明1002]
プロセッサと、
コンピュータ実行可能命令が、該プロセッサによって実行される場合に
前記第1の動作基準が満たされていないと判定すること、および
システムの機能を使用不可にすること
を実施する、該コンピュータ実行可能命令を含むコンピュータ可読媒体と
を備える該システムと通信するように構成されている、本発明1001のボール。
[本発明1003]
前記機能がスコアの算出を含む、本発明1002のボール。
[本発明1004]
前記機能が認定スコアの算出を含む、本発明1003のボール。
[本発明1005]
プロセッサと、
コンピュータ実行可能命令が、該プロセッサによって実行される場合に
前記第1のセンサによって測定された前記フィットネスパラメータに少なくとも部分的に基づいて、第1の活動プロトコルをユーザが実施している間の複数の能力特性を算出すること
を実施する、該コンピュータ実行可能命令を含むコンピュータ可読媒体と
をさらに備える、本発明1001のボール。
[本発明1006]
前記能力特性が、パワー、敏捷さ、速さ、反応、敏速さ、およびこれらの組み合わせからなる群より選択される、本発明1005のボール。
[本発明1007]
前記第1の動作基準が、重量、寸法、内圧、およびこれらの組み合わせに関する範囲を指定する、本発明1002のボール。
[本発明1008]
前記複数の能力特性のうちの少なくとも1つに関する算出が、フィットネスパラメータを測定するように構成されたフィットネス機器と関連付けられた第3のセンサ由来のデータの使用を含む、本発明1005のボール。
[本発明1009]
前記第1のセンサによって測定された前記フィットネスパラメータが、進んだ距離、飛んでいる間の速度、衝撃時のパワー、およびこれらの組み合わせからなる群より選択され、かつ、前記能力特性が、パワー、敏捷さ、速さ、反応、敏速さ、これらの組み合わせからなる群より選択される、本発明1008のボール。
[本発明1010]
前記命令が、
算出された前記能力特性に基づいてスコアを求めること
をさらに含む、本発明1009のボール。
[本発明1011]
以下の段階を含む、ユーザの能力特性を評価する方法:
第1のパラメータを測定するように構成されたセンサと既定の動作基準をボールが満たすかどうか検出するように構成されたセンサとを備える該ボールを検出する段階;ならびに
複数の活動プロトコルの中から第1の活動プロトコルを選択する段階であって、該選択が、検出されたフィットネス機器、検出されたフィットネス機器のセンサ、検出されたフィットネス機器によって測定されたパラメータ、およびこれらの組み合わせからなる群より選択される1つまたは複数の要因に少なくとも部分的に基づく、段階。
[本発明1012]
前記第1のパラメータを測定するように構成された前記センサが、前記既定の動作基準を前記ボールが満たすかどうか検出するように構成された前記センサを備える、本発明1011の方法。
[本発明1013]
前記第1の活動プロトコルをユーザが実施している間に前記ボールの1つまたは複数のセンサから収集されたデータから、複数の能力特性を算出する段階
をさらに含む、本発明1012の方法。
[本発明1014]
前記能力特性が、パワー、敏捷さ、速さ、反応、敏速さ、これらの組み合わせからなる群より選択される、本発明1013の方法。
[本発明1015]
第2のフィットネス機器のセンサからデータを受け取る段階;ならびに
2つのユーザ動作の間のタイミング、特定のユーザ動作のタイミング、ユーザの所在、フィットネス機器の所在、ユーザの速度、フィットネス機器の速度、ユーザの加速度、フィットネス機器の加速度、センサの検出、フィットネス機器の検出、およびこれらの組み合わせからなる群より選択される動作の妥当性を確認するために、前記ボールの前記センサから収集されたデータと該第2のフィットネス機器から収集されたデータとを相互参照する段階
をさらに含む、本発明1013の方法。
[本発明1016]
少なくとも1つの検出されたフィットネス機器がボールを備え、かつ、前記既定の動作基準が、重量、寸法、内圧、およびこれらの組み合わせに関する範囲を指定する、本発明1011の方法。
[本発明1017]
前記ボールのセンサを使用して、既定の動作基準を装置が満たすかどうか判定する段階
をさらに含む、本発明1011の方法。
[本発明1018]
以下の段階を含む、ユーザの能力特性を評価する方法:
システム内において複数のフィットネス機器を検出する段階であって、該複数のフィットネス機器が、少なくとも
第1のパラメータを測定するように構成された少なくとも1つのセンサを備える、第1のフィットネス機器と、
第2のパラメータを測定するように構成された少なくとも1つのセンサを備える、第2のフィットネス機器と
を備える、段階;
検出された該フィットネス機器のうちの少なくとも1つのセンサを用いて、既定の動作基準を少なくとも1つの検出されたフィットネス機器が満たすかどうか判定する段階;ならびに
複数の活動プロトコルの中から第1の活動プロトコルを選択する段階であって、該選択が、検出されたフィットネス機器、検出されたフィットネス機器のセンサ、検出されたフィットネス機器によって測定されたパラメータ、およびこれらの組み合わせからなる群より選択される1つまたは複数の要因に少なくとも部分的に基づく、段階。
[本発明1019]
前記第1の活動プロトコルをユーザが実施している間に第1のフィットネス機器および第2のフィットネス機器から収集されたデータから、複数の能力特性を算出する段階
をさらに含む、本発明1018の方法。
[本発明1020]
前記能力特性が、パワー、敏捷さ、速さ、反応、敏速さ、これらの組み合わせからなる群より選択される、本発明1019の方法。
[本発明1021]
2つのユーザ動作の間のタイミング、特定のユーザ動作のタイミング、ユーザの所在、フィットネス機器の所在、ユーザの速度、フィットネス機器の速度、ユーザの加速度、フィットネス機器の加速度、センサの検出、フィットネス機器の検出、およびこれらの組み合わせからなる群より選択される動作の妥当性を確認するために、前記第1のフィットネス機器のセンサから収集されたデータと前記第2のフィットネス機器のセンサから収集されたデータとを相互参照する段階
をさらに含む、本発明1019の方法。
[本発明1022]
算出された前記能力特性の少なくとも一部分から、スコアを算出する段階
をさらに含む、本発明1021の方法。
[本発明1023]
少なくとも1つの検出されたフィットネス機器がボールを備え、かつ、前記既定の動作基準が、重量、寸法、内圧、およびこれらの組み合わせに関する範囲を指定する、本発明1018の方法。
[本発明1024]
検出されたフィットネス機器のセンサを使用して、既定の動作基準を、検出された該フィットネス機器のうちの1つではない装置が満たすかどうか判定する段階
をさらに含む、本発明1018の方法。
[本発明1025]
検出されたフィットネス機器がマットを備え、かつ、前記装置が履物を備える、本発明1024の方法。
[本発明1026]
前記マットのセンサを用いて、前記履物からの圧力を検出する段階;および
許可されていない圧力点を該履物が含むかどうか判定する段階
をさらに含む、本発明1025の方法。
[本発明1027]
検出された前記フィットネス機器がマットと履物とを備え、該マットが、該履物からの圧力を検出するように構成された1つまたは複数のセンサを備え、前記方法が、
該マットのセンサを用いて、該履物からの圧力を検出する段階;および
許可されていない圧力点を該履物が含むかどうか判定する段階
をさらに含む、本発明1018の方法。
[本発明1028]
少なくとも1つの動作基準が満たされていないと判定する段階;および
前記システムの機能を使用不可にする段階
をさらに含む、本発明1018の方法。
[本発明1029]
前記機能がスコアの算出を含む、本発明1028の方法。
[本発明1030]
前記機能が認定スコアの算出を含む、本発明1029の方法。
[本発明1031]
少なくとも1つの特定の種類のフィットネス機器が検出されていないと判定し、前記システムの少なくとも機能を使用不可にする段階
をさらに含む、本発明1018の方法。
[本発明1032]
前記機能がスコアの算出を含む、本発明1031の方法。
[本発明1033]
前記機能が認定スコアの算出を含む、本発明1032の方法。
[本発明1034]
検出されたフィットネス機器の少なくとも1つまたは前記装置がカメラを備え、かつ、前記方法が、
該カメラを用いて画像を取り込む段階;および
運動の複数の3次元画像を生成する段階
をさらに含む、本発明1024の方法。
[本発明1035]
検出されたフィットネス機器の第1のセンサが第2のセンサに交換されていることを検出する段階;および
複数の前記活動プロトコルの中から第2の活動プロトコルを選択する段階
をさらに含む、本発明1018の方法。
[本発明1036]
前記第2のセンサが前記第1のセンサと異なる種類のセンサであると判定する段階
をさらに含む、本発明1035の方法。
[本発明1037]
第1のフィットネス機器の検出された特性に少なくとも部分的に基づいて、第2のフィットネス機器の特性を調整する段階
をさらに含む、本発明1018の方法。
本発明のこれらおよびその他の特徴は、以下の詳細な説明から明らかになるであろう。
【国際調査報告】
2014534887.tif 000009
2014534887.tif 000010
2014534887.tif 000011
2014534887.tif 000012
2014534887.tif 000013